(57)【要約】【課題】  ユーザがコンテンツを視聴したシーンや視聴した時間に応じて料金を変化させる課金技術、及びコンテンツの特定シーンの再生情報を抽出する技術を実現させる。【解決手段】  コンテンツ受信機及び収集サーバを有するシステムであって、コンテンツ受信機１０が、ユーザからの操作情報を受信する操作受信部１１、ユーザからの操作情報である動作指示証跡を収集サーバに送信する通信部１４を有し、収集サーバ２０が、動作指示証跡を受信する通信部２１、動作指示証跡から視聴状況を集計する視聴状況集計部２３、視聴状況及びコンテンツの付加情報から特定シーン再生情報を抽出するコンテンツ視聴情報抽出部２４を有するコンテンツ視聴情報抽出システムを用いる。【選択図】  図１
2007068086.tif 000002
【特許請求の範囲】
【請求項１】
ユーザのコンテンツ操作情報から、コンテンツ視聴情報を抽出するコンテンツ視聴情報抽出システムであって、
ユーザからの操作情報を受信する操作受信手段と、
前記ユーザからの操作情報である動作指示証跡から視聴状況を集計する視聴状況集計手段と、
前記視聴状況及びコンテンツの付加情報から特定シーン再生情報を抽出するコンテンツ視聴情報抽出手段と、を有することを特徴とするコンテンツ視聴情報抽出システム。
【請求項２】
コンテンツ受信機及び収集サーバを有し、ユーザのコンテンツ操作情報から、コンテンツ視聴情報を抽出するコンテンツ視聴情報抽出システムであって、
前記コンテンツ受信機が、
ユーザからの操作情報を受信する操作受信手段と、
前記ユーザからの操作情報である動作指示証跡を前記収集サーバに送信する通信手段と、を有し、
前記収集サーバが、
前記動作指示証跡を受信する通信手段と、
前記動作指示証跡から視聴状況を集計する視聴状況集計手段と、
前記視聴状況及びコンテンツの付加情報から特定シーン再生情報を抽出するコンテンツ視聴情報抽出手段と、を有することを特徴とするコンテンツ視聴情報抽出システム。
【請求項３】
コンテンツ受信機及び収集サーバを有し、ユーザのコンテンツ操作情報から、コンテンツ視聴情報を抽出するコンテンツ視聴情報抽出システムであって、
前記コンテンツ受信機が、
ユーザからの操作情報を受信する操作受信手段と、
前記ユーザからの操作情報である動作指示証跡から視聴状況を集計する視聴状況集計手段と、
前記視聴状況を前記収集サーバに送信する通信手段と、を有し、
前記収集サーバが、
前記視聴状況を受信する通信手段と、
前記視聴状況及びコンテンツの付加情報から特定シーン再生情報を抽出するコンテンツ視聴情報抽出手段と、を有することを特徴とするコンテンツ視聴情報抽出システム。
【請求項４】
前記コンテンツ視聴情報抽出手段に換えて、前記視聴状況及びコンテンツ価格情報から、ユーザに対する課金情報を抽出する課金情報抽出手段を用いることを特徴とする請求項１〜３のいずれかに記載のコンテンツ視聴情報抽出システム。
【請求項５】
コンテンツ受信機及び収集サーバを有し、ユーザのコンテンツ操作情報から、コンテンツ視聴情報を抽出するコンテンツ視聴情報抽出システムを動作させるプログラムであって、
前記コンテンツ受信機において、
操作受信手段にユーザからの操作情報を受信させる操作受信ステップと、
通信手段に前記ユーザからの操作情報である動作指示証跡を前記収集サーバに送信させる通信ステップと、を実行させ、
前記収集サーバにおいて、
通信手段に前記動作指示証跡を受信させる通信ステップと、
視聴状況集計手段に前記動作指示証跡から視聴状況を集計させる視聴状況集計ステップと、
コンテンツ視聴情報抽出手段に前記視聴状況及びコンテンツの付加情報から特定シーン再生情報を抽出させるコンテンツ視聴情報抽出ステップと、を実行させることを特徴とするコンテンツ視聴情報抽出プログラム。
【請求項６】
コンテンツ受信機及び収集サーバを有し、ユーザのコンテンツ操作情報から、コンテンツ視聴情報を抽出するコンテンツ視聴情報抽出システムを動作させるプログラムであって、
前記コンテンツ受信機において、
操作受信手段にユーザからの操作情報を受信させる操作受信ステップと、
視聴状況集計手段に前記ユーザからの操作情報である動作指示証跡から視聴状況を集計させる視聴状況集計ステップと、
通信手段に前記視聴状況を前記収集サーバに送信させる通信ステップと、を実行させ、
前記収集サーバにおいて、
通信手段に前記視聴状況を受信させる通信ステップと、
視聴情報抽出手段に前記視聴状況及びコンテンツの付加情報から特定シーン再生情報を抽出させるコンテンツ視聴情報抽出ステップと、を実行させることを特徴とするコンテンツ視聴情報抽出プログラム。
【請求項７】
前記コンテンツ視聴情報抽出手段に実行させるコンテンツ視聴情報抽出ステップに換えて、課金情報抽出手段に前記視聴状況及びコンテンツ価格情報から、ユーザに対する課金情報を抽出する課金情報抽出ステップを実行させることを特徴とする請求項５又は６に記載のコンテンツ視聴情報抽出プログラム。
【請求項８】
コンテンツ受信機及び収集サーバを有し、ユーザのコンテンツ操作情報から、コンテンツ視聴情報を抽出するコンテンツ視聴情報抽出システムにおけるコンテンツ視聴情報抽出方法であって、
前記コンテンツ受信機において、
操作受信手段がユーザからの操作情報を受信する操作受信ステップと、
通信手段が前記ユーザからの操作情報である動作指示証跡を前記収集サーバに送信する通信ステップと、を有し、
前記収集サーバにおいて、
通信手段が前記動作指示証跡を受信する通信ステップと、
視聴状況集計手段が前記動作指示証跡から視聴状況を集計する視聴状況集計ステップと、
コンテンツ視聴情報抽出手段が前記視聴状況及びコンテンツの付加情報から特定シーン再生情報を抽出するコンテンツ視聴情報抽出ステップと、を有することを特徴とするコンテンツ視聴情報抽出方法。
【請求項９】
コンテンツ受信機及び収集サーバを有し、ユーザのコンテンツ操作情報から、コンテンツ視聴情報を抽出するコンテンツ視聴情報抽出システムにおけるコンテンツ視聴情報抽出方法であって、
前記コンテンツ受信機において、
操作受信手段がユーザからの操作情報を受信する操作受信ステップと、
視聴状況集計手段が前記ユーザからの操作情報である動作指示証跡から視聴状況を集計する視聴状況集計ステップと、
通信手段が前記視聴状況を前記収集サーバに送信する通信ステップと、を有し、
前記収集サーバにおいて、
通信手段が前記視聴状況を受信する通信ステップと、
視聴情報抽出手段が前記視聴状況及びコンテンツの付加情報から特定シーン再生情報を抽出するコンテンツ視聴情報抽出ステップと、を有することを特徴とするコンテンツ視聴情報抽出方法。
【請求項１０】
前記コンテンツ視聴情報抽出手段が行うコンテンツ視聴情報抽出ステップに換えて、課金情報抽出手段が前記視聴状況及びコンテンツ価格情報から、ユーザに対する課金情報を抽出する課金情報抽出ステップを有することを特徴とする請求項８又は９に記載のコンテンツ視聴情報抽出方法。
【発明の詳細な説明】
【技術分野】
【０００１】
本発明は、コンテンツ視聴情報抽出について、ユーザがコンテンツを視聴した部分や視聴した時間によって、コンテンツの視聴情報を抽出する技術に関する。
【背景技術】
【０００２】
近年、ＢＳ／ＣＳデジタル放送などデジタル放送が開始され、映像、音声、データの各コンテンツを有料で提供する有料デジタル放送が既に実施されている。また、通信のブロードバンド化が進み、通信ネットワークを介して映像などのコンテンツを有料で配信するコンテンツ配信事業者も現れてきた。
【０００３】
現在の有料放送には、チャネル単位課金であるフラット課金や、コンテンツ単位の従量課金であるペイパービュー課金がある。
【０００４】
フラット課金では、放送コンテンツにおいてユーザがあらかじめ視聴したいチャンネルを契約するとＥＭＭ（Ｅｎｔｉｔｌｅｍｅｎｔ  Ｍｅｓｓａｇｅ）と呼ばれる個別情報が、デジタル放送のＴＳ（Ｔｒａｎｓｐｏｒｔ  Ｓｔｒｅａｍ）に多重されて受信機に送信される。受信機は受信したＥＭＭをＩＣカードに入力し、ＩＣカード内の不揮発性メモリ内にＥＭＭ情報を蓄積することで契約情報を記憶する。
【０００５】
ペイパービュー課金では、放送コンテンツ及び通信コンテンツを視聴したい場合に、その都度、コンテンツ単位で視聴権であるライセンスの購入処理を行い、ライセンスを受信機に蓄積する。
【０００６】
どちらの課金方式においても、事前にライセンスを購入することからコンテンツ全体をすべて視聴するものとして課金されてしまう。例えば、あるコンテンツの視聴を途中でやめた場合であってもコンテンツ全体を視聴した場合と同じ料金が課金される。
【０００７】
この点に関して、ユーザの視聴時間に応じた視聴料金の課金を行う有料放送課金方式が考えられている（例えば、非特許文献１参照。）。このような方式では、ＩＣカードにおいてデジタル放送で送信されてくるＥＣＭ（Ｅｎｔｉｔｌｅｍｅｎｔ  Ｃｏｎｔｒｏｌ  Ｍｅｓｓａｇｅ）の受信数又は受信機からの確認コマンドの受信数を記憶することにより、ＥＣＭ受信数又はコマンド受信数に応じて視聴時間を算出し視聴料金を決定する方法が提案されている。
【非特許文献１】石井晋司  武藤貞勝  川森雅仁  川添雄彦、「放送通信連携に必要なコンテンツの権利保護技術」、ＮＴＴ技術ジャーナル、電気通信協会、２００４．５、ｐ．１０−１３
【発明の開示】
【発明が解決しようとする課題】
【０００８】
コンテンツを視聴するユーザにとって、コンテンツの一部のみしか視聴していない場合でも、コンテンツ単位で課金されるとなるとコンテンツの購入に対して慎重になる。したがって、コンテンツ単位で課金されることが、ユーザが積極的にコンテンツを購入することの妨げになっている。
【０００９】
上記技術では、ユーザの視聴時間に応じた課金は可能であるが、コンテンツのどの部分を視聴したかは判断できず、視聴したコンテンツ内のシーンに応じて課金することはできない。
【００１０】
そこで、ユーザがコンテンツを視聴したシーンや視聴した時間に応じて料金を変化させる課金技術、及びコンテンツの特定シーンの再生情報を抽出する技術の実現を目的とする。
【課題を解決するための手段】
【００１１】
そこで上記課題を解決するために、請求項１に記載の発明は、ユーザのコンテンツ操作情報から、コンテンツ視聴情報を抽出するコンテンツ視聴情報抽出システムであって、ユーザからの操作情報を受信する操作受信手段と、前記ユーザからの操作情報である動作指示証跡から視聴状況を集計する視聴状況集計手段と、前記視聴状況及びコンテンツの付加情報から特定シーン再生情報を抽出するコンテンツ視聴情報抽出手段と、を有することを特徴とする。
【００１２】
また、請求項２に記載の発明は、コンテンツ受信機及び収集サーバを有し、ユーザのコンテンツ操作情報から、コンテンツ視聴情報を抽出するコンテンツ視聴情報抽出システムであって、前記コンテンツ受信機が、ユーザからの操作情報を受信する操作受信手段と、前記ユーザからの操作情報である動作指示証跡を前記収集サーバに送信する通信手段と、を有し、前記収集サーバが、前記動作指示証跡を受信する通信手段と、前記動作指示証跡から視聴状況を集計する視聴状況集計手段と、前記視聴状況及びコンテンツの付加情報から特定シーン再生情報を抽出するコンテンツ視聴情報抽出手段と、を有することを特徴とする。
【００１３】
また、請求項３に記載の発明は、コンテンツ受信機及び収集サーバを有し、ユーザのコンテンツ操作情報から、コンテンツ視聴情報を抽出するコンテンツ視聴情報抽出システムであって、前記コンテンツ受信機が、ユーザからの操作情報を受信する操作受信手段と、前記ユーザからの操作情報である動作指示証跡から視聴状況を集計する視聴状況集計手段と、前記視聴状況を前記収集サーバに送信する通信手段と、を有し、前記収集サーバが、前記視聴状況を受信する通信手段と、前記視聴状況及びコンテンツの付加情報から特定シーン再生情報を抽出するコンテンツ視聴情報抽出手段と、を有することを特徴とする。
【００１４】
また、請求項４に記載の発明は、前記コンテンツ視聴情報抽出手段に換えて、前記視聴状況及びコンテンツ価格情報から、ユーザに対する課金情報を抽出する課金情報抽出手段を用いることを特徴とする。
【００１５】
また、請求項５に記載の発明は、コンテンツ受信機及び収集サーバを有し、ユーザのコンテンツ操作情報から、コンテンツ視聴情報を抽出するコンテンツ視聴情報抽出システムを動作させるプログラムであって、前記コンテンツ受信機において、操作受信手段にユーザからの操作情報を受信させる操作受信ステップと、通信手段に前記ユーザからの操作情報である動作指示証跡を前記収集サーバに送信させる通信ステップと、を実行させ、前記収集サーバにおいて、通信手段に前記動作指示証跡を受信させる通信ステップと、視聴状況集計手段に前記動作指示証跡から視聴状況を集計させる視聴状況集計ステップと、コンテンツ視聴情報抽出手段に前記視聴状況及びコンテンツの付加情報から特定シーン再生情報を抽出させるコンテンツ視聴情報抽出ステップと、を実行させることを特徴とする。
【００１６】
また、請求項６に記載の発明は、コンテンツ受信機及び収集サーバを有し、ユーザのコンテンツ操作情報から、コンテンツ視聴情報を抽出するコンテンツ視聴情報抽出システムを動作させるプログラムであって、前記コンテンツ受信機において、操作受信手段にユーザからの操作情報を受信させる操作受信ステップと、視聴状況集計手段に前記ユーザからの操作情報である動作指示証跡から視聴状況を集計させる視聴状況集計ステップと、通信手段に前記視聴状況を前記収集サーバに送信させる通信ステップと、を実行させ、前記収集サーバにおいて、通信手段に前記視聴状況を受信させる通信ステップと、視聴情報抽出手段に前記視聴状況及びコンテンツの付加情報から特定シーン再生情報を抽出させるコンテンツ視聴情報抽出ステップと、を実行させることを特徴とする。
【００１７】
また、請求項７に記載の発明は、前記コンテンツ視聴情報抽出手段に実行させるコンテンツ視聴情報抽出ステップに換えて、課金情報抽出手段に前記視聴状況及びコンテンツ価格情報から、ユーザに対する課金情報を抽出する課金情報抽出ステップを実行させることを特徴とする。
【００１８】
また、請求項８に記載の発明は、コンテンツ受信機及び収集サーバを有し、ユーザのコンテンツ操作情報から、コンテンツ視聴情報を抽出するコンテンツ視聴情報抽出システムにおけるコンテンツ視聴情報抽出方法であって、前記コンテンツ受信機において、操作受信手段がユーザからの操作情報を受信する操作受信ステップと、通信手段が前記ユーザからの操作情報である動作指示証跡を前記収集サーバに送信する通信ステップと、を有し、前記収集サーバにおいて、通信手段が前記動作指示証跡を受信する通信ステップと、視聴状況集計手段が前記動作指示証跡から視聴状況を集計する視聴状況集計ステップと、コンテンツ視聴情報抽出手段が前記視聴状況及びコンテンツの付加情報から特定シーン再生情報を抽出するコンテンツ視聴情報抽出ステップと、を有することを特徴とする。
【００１９】
また、請求項９に記載の発明は、コンテンツ受信機及び収集サーバを有し、ユーザのコンテンツ操作情報から、コンテンツ視聴情報を抽出するコンテンツ視聴情報抽出システムにおけるコンテンツ視聴情報抽出方法であって、前記コンテンツ受信機において、操作受信手段がユーザからの操作情報を受信する操作受信ステップと、視聴状況集計手段が前記ユーザからの操作情報である動作指示証跡から視聴状況を集計する視聴状況集計ステップと、通信手段が前記視聴状況を前記収集サーバに送信する通信ステップと、を有し、前記収集サーバにおいて、通信手段が前記視聴状況を受信する通信ステップと、視聴情報抽出手段が前記視聴状況及びコンテンツの付加情報から特定シーン再生情報を抽出するコンテンツ視聴情報抽出ステップと、を有することを特徴とする。
【００２０】
また、請求項１０に記載の発明は、前記コンテンツ視聴情報抽出手段が行うコンテンツ視聴情報抽出ステップに換えて、課金情報抽出手段が前記視聴状況及びコンテンツ価格情報から、ユーザに対する課金情報を抽出する課金情報抽出ステップを有することを特徴とする。
【００２１】
なお、視聴状況を送信する際には、送信フォーマットはＸＭＬ形式等を用いることが可能である。
【発明の効果】
【００２２】
請求項１〜３、５、６、８、９に記載の発明によれば、ユーザの視聴状況を集計して、この視聴状況及びコンテンツの付加情報から、コンテンツの特定シーンの再生情報を得ることが可能となる。
【００２３】
また、請求項４、７、１０に記載の発明によれば、ユーザの視聴状況を集計して、この視聴状況及び価格情報から、ユーザへの課金情報を抽出することが可能となる。
【発明を実施するための最良の形態】
【００２４】
以下、実施形態について、図面を参照しながら説明する。ここでは、抽出する視聴情報がユーザに対する課金情報である場合の例を説明する。
【００２５】
（実施形態１）
図１は、実施形態１を実現するコンテンツ受信機１０、及び収集サーバ２０のハードウェア構成図である。
【００２６】
コンテンツ受信機１０は、ユーザの操作情報を受信する操作受信部１１、ユーザの操作情報に従ってコンテンツを制御するコンテンツ制御部１２、ユーザの操作情報を動作指示証跡として記憶する動作指示証跡記憶部１３、及び動作指示証跡記憶部１３に記憶された動作指示証跡を収集サーバ２０に送信する通信部１４を有する。
【００２７】
収集サーバ２０は、コンテンツ受信機１０から送信されてきた動作指示証跡を受信する通信部２１、あらかじめコンテンツの価格情報を記憶する価格情報記憶部２２、通信部２１で受信した動作指示証跡からユーザの視聴状況を集計する視聴状況集計部２３、及び価格情報記憶部２２に記憶されたコンテンツの価格情報と視聴状況集計部２３で集計した視聴状況とを照合してユーザに対する課金情報を抽出する課金情報抽出部２４を有する。
【００２８】
図２はコンテンツ受信機１０にて、ユーザからの操作情報を受信した際の動作を示したフローチャートである。
【００２９】
まず、コンテンツ受信機１０は、ユーザからの操作情報を操作受信部１１で受信し（Ｓ３１）、ユーザの操作情報に従いコンテンツ制御部１２を介してコンテンツを視聴制御する（Ｓ３２）。
【００３０】
その後、ユーザの操作情報を動作指示証跡として動作指示証跡記憶部１３にて記憶する（Ｓ３３）。
【００３１】
ここでいうユーザからの操作情報は、受信機に対するリモコン操作、受信機本体に設けられた操作ボタンによる操作、受信機に接続されたタッチパネル式モニタに表示された操作ボタンによる操作、及び電子メール等で遠隔からネットワークを介して送信されてきた操作などの情報である。
【００３２】
記憶された動作指示証跡は、ユーザからの操作情報を受信する都度、一定時間ごと、ユーザからの指示、又は記憶部の記憶領域が満杯になったときに収集サーバに送信する。
【００３３】
動作指示証跡は、課金に関わる重要な情報であるため、秘匿性を高めるために暗号化を施すことができる。動作指示証跡を記憶する場合、改ざん防止のためセキュアな領域に記憶することが望ましい。また、収集サーバに送信する際に、秘匿性を高めるために、通信路を暗号化することができる。
【００３４】
図３は動作指示証跡記憶部１３に記憶される動作指示証跡のフォーマットを示す。動作指示証跡は、ユーザＩＤ、操作種別、操作開始時刻、コンテンツＩＤ、再生開始位置、及び倍速度などが記憶される。
【００３５】
ユーザＩＤは、コンテンツを視聴したユーザを一意に特定するためのＩＤである。
【００３６】
操作種別は、コンテンツ受信機におけるコンテンツに対する操作の種別を表す。例えば、再生開始、再生停止、早送り開始、早送り解除、巻戻し開始、巻戻し解除、一時停止、及びスキップなどである。
【００３７】
操作開始時刻は、該当の操作をコンテンツ受信機がコンテンツに対して制御を行った時刻である。
【００３８】
コンテンツＩＤは、操作の対象となるコンテンツを一意に特定するためのＩＤである。コンテンツＩＤにより、どのコンテンツに対する操作であるかがわかる。
【００３９】
再生開始位置は、再生を開始する際にコンテンツのどの位置から再生し始めたかを示すものである。
【００４０】
倍速度は、早送りや巻戻しを行った際のコンテンツの再生速度を示すものである。
【００４１】
図４に、収集サーバ２０にて動作指示証跡を受信し、視聴状況を集計し、ユーザへの課金情報を抽出する動作を示したフローチャートを示す。
【００４２】
まず、コンテンツ受信機から送信されてきた動作指示証跡を通信部２１で受信する（Ｓ４１）。
【００４３】
その後、視聴状況集計部２３にて、通信部２１で受信した動作指示証跡からユーザの視聴状況を集計する（Ｓ４２）。
【００４４】
その後、課金情報抽出部２４にて、価格情報記憶部２２よりコンテンツの価格情報を取り出し、視聴状況集計部２３にて集計した視聴状況と照合して、ユーザへの課金情報を抽出する（Ｓ４３）。
【００４５】
図４のＳ４２において、収集サーバ２０で視聴状況を集計する詳細な方法について説明する。
【００４６】
再生開始及び再生停止のみが行われている動作指示証跡の場合、再生開始時刻と再生終了時刻との差によりコンテンツの再生時間を計算できる。
【００４７】
再生開始位置が先頭以外であった場合、コンテンツの再生開始位置から再生時間分だけ再生したことになり、コンテンツのどこまで再生したかを特定できる。
【００４８】
動作指示として早送りが行われた場合、早送り開始時刻と早送り解除時刻との差に、早送りした際の倍速度を掛け合わせることにより、早送りした後のコンテンツの位置を特定できる。
【００４９】
動作指示として巻戻しが行われた場合、巻戻し開始時刻と巻戻し解除時刻との差に、巻戻しする際の倍速度を掛け合わせることにより、巻戻した後のコンテンツの位置を特定できる。
【００５０】
動作指示として一時停止が行われた場合、一時停止開始時刻と一時停止解除時刻との間は、コンテンツの再生位置が変化していないものとすることができる。
【００５１】
動作指示としてスキップが行われた場合、スキップされた位置から新たな再生が始まったとしてコンテンツの位置を特定できる。
【００５２】
以上のように、動作指示証跡からコンテンツの視聴状況を詳細に集計することができる。
【００５３】
図５は、コンテンツの価格情報を示したテーブルである。コンテンツの価格情報には、コンテンツＩＤ、課金対象開始位置、課金対象終了位置、視聴時間、及び価格情報等が書かれている。
【００５４】
コンテンツＩＤは、課金するコンテンツを一意に特定するためのＩＤである。
【００５５】
課金対象開始位置及び課金対象終了位置が記載されているコンテンツの場合、課金対象開始位置及び課金対象終了位置が該当コンテンツの課金対象となる部分を示す。課金対象となる部分をユーザが視聴していた場合、価格情報に記載された金額を課金する。
【００５６】
視聴時間が記載されているコンテンツの場合、実際の視聴した時間が該当するテーブルに記載されている金額を課金する。
【００５７】
図３の動作指示証跡から視聴状況を集計し、図５に示すコンテンツ価格情報と照合することで、ユーザに対する課金情報を抽出することができる。
【００５８】
また、視聴状況とコンテンツの特定部分を表したセグメント付加情報から、特定シーンの再生回数を抽出することができる。
【００５９】
（実施形態２）
図６は、実施形態２を実現するコンテンツ受信機５０及び収集サーバ６０の構成図である。
【００６０】
コンテンツ受信機５０は、ユーザの操作情報を受信する操作受信部５１、ユーザの操作情報に従ってコンテンツを制御するコンテンツ制御部５２、ユーザの操作情報を動作指示証跡として記憶する動作指示証跡記憶部５３、動作指示証跡記憶部５３に記憶された動作指示証跡から視聴状況を集計する視聴状況集計部５４、集計した視聴状況を記憶する視聴状況記憶部５５、及び記憶した視聴状況を収集サーバ６０に送信する通信部５６を有する。
【００６１】
収集サーバ６０は、コンテンツ受信機５０から送信されてきた動作指示証跡を受信する通信部６１、あらかじめコンテンツの価格情報を記憶する価格情報記憶部６２、及び通信部６１で受信した視聴状況と価格情報記憶部６２に記憶されたコンテンツの価格情報と照合して、ユーザに対する課金情報を抽出する課金情報抽出部６３を有する。
【００６２】
コンテンツ受信機５０にて、ユーザからの操作情報を受信した際の動作及び記憶する動作指示証跡のフォーマットは、実施形態１と同じである。
【００６３】
図７に、コンテンツ受信機５０にて記憶された動作指示証跡を視聴状況として収集サーバ６０に送信する際の動作のフローチャートを示す。
【００６４】
コンテンツ受信機５０は、動作指示証跡を視聴状況として、ユーザからの操作情報を受信する都度、一定時間ごと、ユーザからの指示、又は記憶部の記憶領域が満杯になったときに収集サーバ６０に視聴状況を送信する。
【００６５】
まず、視聴状況集計部５４にて、動作指示証跡記憶部５３より動作指示証跡を読み出し、視聴状況を集計し、視聴状況記憶部５５にて記憶する（Ｓ７１）。集計の方法は実施形態１と同じである。
【００６６】
次に、通信部５６にて、視聴状況記憶部５５から視聴状況を読み出し収集サーバ６０に送信する（Ｓ７２）。
【００６７】
図８は、収集サーバ６０にて、コンテンツ受信機５０から送信されてきた視聴状況からユーザへの課金情報を抽出する動作を示すフローチャートである。
【００６８】
収集サーバ６０は、コンテンツ受信機５０から送信されてきた視聴状況を通信部６１にて受信する（Ｓ８１）。
【００６９】
その後、受信した視聴状況と価格情報記憶部６２に記憶されているコンテンツの価格情報とを照合し、ユーザへの課金情報を抽出する（Ｓ８２）。
【００７０】
コンテンツの価格情報テーブル及び課金情報の抽出方法は、実施形態１と同じである。
【００７１】
なお、視聴状況とコンテンツの特定部分を表したセグメント付加情報から、特定シーンの再生回数を抽出することができる。
【００７２】
(実施形態３)
上記実施形態１、２では、課金情報抽出部２４、６３を用いて課金情報を抽出している。この課金情報抽出部２４、６３に換えて、視聴状況及びコンテンツの付加情報からユーザのコンテンツの特定シーンの再生情報を抽出するコンテンツ視聴情報抽出部を用いることも可能である。
【００７３】
このコンテンツの付加情報は、コンテンツの特定のシーンを決定するための対象開始位置及び対象終了位置等、コンテンツ中の特定のシーンを、どのくらいの時間視聴したか、又は何回視聴したかという情報を抽出するためのものである。
【００７４】
また、ユーザのコンテンツの特定シーンの再生情報は、コンテンツ中の特定シーンを、ユーザがどのくらいの時間視聴したか、又は何回視聴したかということに関する情報である。
【００７５】
この特定シーンの再生情報によりユーザが特定のシーンをどの程度視聴したか等を知ることができ、特定シーンの再生情報からユーザに対する課金を決定することが可能である。
【００７６】
(その他)
なお、上記各実施形態において、コンテンツ受信機と収集サーバとは同一の装置内に配置されてもよい。この場合には、通信部は不要となる。
【００７７】
また、上記各実施形態において、視聴情報抽出システムは、例えば、視聴情報抽出システムを構成するコンピュータ装置が有するＣＰＵによって実現され、コンテンツ制御部、視聴状況集計部、課金状況抽出部、コンテンツ視聴情報抽出部などをアプリケーションプログラムとして搭載することができる。
【００７８】
また、視聴状況集計部、課金状況抽出部、コンテンツ視聴情報抽出部などで行った処理結果、計算結果、当該処理に必要な情報等のデータを内部メモリや外部記憶装置等に書き込み・読み出しができるようにしてもよい。
【００７９】
また、視聴情報抽出システムの機能を実現するソフトウェアのプログラムコードを記録した記録媒体を、システム、又は装置に供給し、そのシステム、又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、及びＨＤＤ等がある。
【図面の簡単な説明】
【００８０】
【図１】コンテンツ受信機及び収集サーバのブロック図。
【図２】コンテンツ受信機の動作指示記憶フローチャート。
【図３】動作指示証跡テーブル。
【図４】収集サーバの課金情報抽出フローチャート。
【図５】コンテンツ価格情報テーブル。
【図６】コンテンツ受信機及び収集サーバのブロック図。
【図７】コンテンツ受信機の視聴状況送信フローチャート。
【図８】収集サーバの課金情報抽出フローチャート。
【符号の説明】
【００８１】
１０  コンテンツ受信機
１１  操作受信部
１２  コンテンツ制御部
１３  動作指示証跡記憶部
１４  通信部
２０  収集サーバ
２１  通信部
２２  価格情報記憶部
２３  視聴状況集計部
２４  課金情報抽出部
５０  コンテンツ受信機
５１  操作受信部
５２  コンテンツ制御部
５３  動作指示証跡記憶部
５４  視聴状況集計部
５５  視聴状況記憶部
５６  通信部
６０  収集サーバ
６１  通信部
６２  価格情報記憶部
６３  課金情報抽出部
【図１】
2007068086.tif 000003
【図２】
2007068086.tif 000004
【図３】
2007068086.tif 000005
【図４】
2007068086.tif 000006
【図５】
2007068086.tif 000007
【図６】
2007068086.tif 000008
【図７】
2007068086.tif 000009
【図８】
2007068086.tif 000010